(57)【要約】【課題】電線同士の衝突、混触等を確実に防止して、電線張替えの作業能率が向上し、より安全性の優れた作業が可能となるように工夫した混触防止式電線張替工法及び電線張替工法で使用される混触防止装置を提供する。【解決手段】混触防止装置を既設電線に沿って配置・展開し、下側の既設電線をがいし装置から取外すと共に、前記の下側の既設電線に新設電線を接続すると共に、下側の既設電線を巻取りながら新設電線を架設し、この新設電線夫々の端部を固定ワイヤーを介して引留プレートに仮固定し、上側の既設電線をがいし装置から取外して、混触防止装置を反転させ、引留プレートに仮固定していた新設電線夫々の端部をがいし装置の上側取付け位置に固定し、反転によって下側に移動した既設電線に新設電線を接続すると共に、当該既設電線を巻取りながら新設電線を架設し、この新設電線夫々の端部をがいし装置の下側取付け位置に固定し、混触防止装置を回収し、新設電線を緊張する。【選択図】図１８
2006025536.tif 000002
【特許請求の範囲】
【請求項１】
がいし装置の交換を伴わずに、複数の鉄塔間に架設されている既設電線を新設電線に張替えるための工法であって、張替用金車を鉄塔の腕金部に取付け、混触防止装置を既設電線にセットし、混触防止装置を既設電線に沿って配置・展開し、下側の既設電線をがいし装置から取外すと共に、前記の下側の既設電線に新設電線を接続すると共に、下側の既設電線を巻取りながら新設電線を架設し、この新設電線夫々の端部を固定ワイヤーを介して引留プレートに仮固定し、上側の既設電線をがいし装置から取外して、混触防止装置を反転させ、引留プレートに仮固定していた新設電線夫々の端部をがいし装置の上側取付け位置に固定し、反転によって下側に移動した既設電線に新設電線を接続すると共に、当該既設電線を巻取りながら新設電線を架設し、この新設電線夫々の端部をがいし装置の下側取付け位置に固定し、混触防止装置を回収し、新設電線を緊張することを特徴とした混触防止式電線張替工法。
【請求項２】
新設電線の緊張が２径間以上にわたる場合、隣設する鉄塔間の電線相互を接続する請求項１に記載の混触防止式電線張替工法。
【請求項３】
移動金車を介してロープを配置し、このロープを利用して混触防止装置を既設電線に沿って配置・展開し、また、混触防止装置を回収する請求項１まは２に記載の混触防止式電線張替工法。
【請求項４】
宙乗り機を用いて既設電線に取付けてある電線スペーサーを撤去し、また、新設電線に電線スペーサーを取付ける請求項１乃至３のいずれかに記載の混触防止式電線張替工法。
【請求項５】
多導体の送電線にあって、任意の一条以上の既設電線を新設電線に張替える請求項１乃至４のいずれかに記載の混触防止式電線張替工法。
【請求項６】
がいし装置の交換を伴いながら、複数の鉄塔間に架設されている既設電線を新設電線に張替えるための工法であって、既設電線の本数に応じた張替用金車を鉄塔の腕金部に取付け、既設電線をがいし装置から取外し、隣設する鉄塔間の既設電線相互を接続すると共に、既設電線夫々を対応する張替用金車夫々に乗せ、混触防止装置を既設電線にセットし、既設のがいし装置を撤去し、混触防止装置を既設電線に沿って配置・展開し、下側の既設電線に新設電線を接続すると共に、下側の既設電線を巻取りながら新設電線を架設し、新設電線を仮上げすると共に、混触防止装置を反転し、反転によって下側に移動した既設電線に新設電線を接続すると共に、既設電線を巻取りながら新設電線を架設し、がいし装置を鉄塔の腕金部に取付け、混触防止装置を回収し、新設電線夫々の端部をがいし装置に固定すると共に、新設電線を緊張することを特徴とした混触防止式電線張替工法。
【請求項７】
移動金車を介してロープを配置し、このロープを利用して混触防止装置を既設電線に沿って配置・展開し、また、混触防止装置を回収する請求項６に記載の混触防止式電線張替工法。
【請求項８】
宙乗り機を用いて既設電線に取付けてある電線スペーサーを撤去し、また、新設電線に電線スペーサーを取付ける請求項６または７に記載の混触防止式電線張替工法。
【請求項９】
多導体の送電線にあって、任意の一条以上の既設電線を新設電線に張替える請求項６乃至８のいずれかに記載の混触防止式電線張替工法。
【請求項１０】
複数の鉄塔間に架設されている既設電線を新設電線に張替えるために使用される混触防止装置であって、上下左右に配される吊金車と、上部左右の吊金車を連結する接近防止部材と、左側上下の吊金車及び右側上下の吊金車を夫々連結する連結部材とで混触防止枠体を構成したことを特徴とする電線張替工法で使用される混触防止装置。
【請求項１１】
複数の接近防止枠体を、曳行ロープで連結して構成した請求項１０に記載の電線張替工法で使用される混触防止装置。
【請求項１２】
少なくとも二条の電線同士の衝突を防止する請求項１０または１１に記載の電線張替工法で使用される混触防止装置。
【発明の詳細な説明】
【技術分野】
【０００１】
本発明は、複数の鉄塔間に架設されている既設電線（送電線）を新設電線に張替える際に、電線（或いは、金車や、ロープ等も含む）同士の衝突、混触等を確実に防止でき、電線の損傷防止や、騒音（例えば、衝突音等）の発生防止が図れ、電線張替えの作業能率が向上し、より安全性の優れた作業が可能となるように工夫した混触防止式電線張替工法及び電線張替工法で使用される混触防止装置に関するものである。
【背景技術】
【０００２】
従来の多導体送電線工事は、鉄塔の腕金部に電線工事用の金車を吊し、各鉄塔から鉄塔間に於いて、電線工事中にその下部交差部等へ防護足場を構築してから、電線をワイヤーに繋げて引き抜きながら鉄塔に到達させていた。
【０００３】
そして、老朽化等を原因として電線を張替える必要が生じた場合、道路や鉄道等の交差部に電線の垂下防止のための防護足場を構築してから電線の張替えを実施していた。
【０００４】
一方、防護足場を設置する用地を確保できない等の種々の理由により、道路や鉄道等の交差部に防護足場を構築できない場合は、吊金工法といわれるような、例えば、特許文献１で公開されている送電線の張替え工法が実施されている。
【０００５】
尚、いずれの張替え工法においても、送電を停止している期間内に電線の張替え作業を終了しなければならず、且つ無風の作業環境が必要であった。
【０００６】
【特許文献１】特開２００３−１２５５０７号
【発明の開示】
【発明が解決しようとする課題】
【０００７】
ところが、前述の多導体送電線は、建設年度が非常に古いものが多く、その建設当時においては、送電線は山林や田畑等の人の往来が稀な地域を通過させていたため、電線の地上高が低く設定されていた。
【０００８】
そして、現在においては、送電線の周辺地域に宅地開発等がなされて道路も増えたため、電線の張替え工事を実施する場合に電線の垂下対策を事前に行う必要がある事態が非常に増加しているが、防護足場を構築する際に、電線の地上高が低いことから電線と防護足場の安全距離を確保できず、送電を停止しなければ防護足場を構築する作業ができないのが実情であった。すなわち、防護足場を構築する場合には、送電停止期間の長期化や工事費高騰等の問題があったのである。
【０００９】
このように、鉄塔が建設されている地域環境が鉄塔の建設当時から大きく変化し、特に、道路や住宅等が急速的に増加している現状において、防護足場を構築するのに充分なスペースを確保できない事態が生じているため、防護足場を構築しなくても電線を安全に張替える工法の創出が強く望まれている。
【００１０】
そして、現状において、電線（送電線）の張替え工法として採用されている前述の如き吊金工法にあっては、鉄塔の腕金部の限られた範囲に多くの金車を吊るすため、金車の間隔が狭くなり、風が吹くと電線同士の衝突混触現象が発生する難点があった。しかも、この衝突混触現象によって電線が損傷する危険や、衝突音によって騒音が発生する等の難点もあった。さらに、張替え工事中は、電線の弛みが大きいこと等から風による影響を強く受け易く、風を原因として電線の張替え工事が中断し易い難点もあった。すなわち、現状の電線の張替え工法は、工事の中断による送電停止期間の延長や工事費の増加等の問題があったのである。
【００１１】
そこで、本発明は、複数の鉄塔間に架設されている既設電線（送電線）を新設電線に張替える際に、電線（或いは、金車や、ロープ等も含む）同士の衝突、混触等を確実に防止でき、電線の損傷防止や、騒音（例えば、衝突音等）の発生防止が図れ、電線張替えの作業能率が向上し、より安全性の優れた作業が可能となるように工夫した混触防止式電線張替工法及び電線張替工法で使用される混触防止装置を提供するものである。
【課題を解決するための手段】
【００１２】
本発明に係る混触防止式電線張替工法は、がいし装置の交換を伴わずに、複数の鉄塔間に架設されている既設電線を新設電線に張替えるための工法であって、張替用金車を鉄塔の腕金部に取付け、混触防止装置を既設電線にセットし、混触防止装置を既設電線に沿って配置・展開し、下側の既設電線をがいし装置から取外すと共に、前記の下側の既設電線に新設電線を接続すると共に、下側の既設電線を巻取りながら新設電線を架設し、この新設電線夫々の端部を固定ワイヤーを介して引留プレートに仮固定し、上側の既設電線をがいし装置から取外して、混触防止装置を反転させ、引留プレートに仮固定していた新設電線夫々の端部をがいし装置の上側取付け位置に固定し、反転によって下側に移動した既設電線に新設電線を接続すると共に、当該既設電線を巻取りながら新設電線を架設し、この新設電線夫々の端部をがいし装置の下側取付け位置に固定し、混触防止装置を回収し、新設電線を緊張することで、上述した課題を解決した。
【００１３】
また、新設電線の緊張が２径間以上にわたる場合、隣設する鉄塔間の電線相互を接続することで、同じく上述した課題を解決した。
【００１４】
さらに、移動金車を介してロープを配置し、このロープを利用して混触防止装置を既設電線に沿って配置・展開し、また、混触防止装置を回収することで、同じく上述した課題を解決した。
【００１５】
また、宙乗り機を用いて既設電線に取付けてある電線スペーサーを撤去し、また、新設電線に電線スペーサーを取付けることで、同じく上述した課題を解決した。
【００１６】
加えて、多導体の送電線にあって、任意の一条以上の既設電線を新設電線に張替えることで、同じく上述した課題を解決した。
【００１７】
また、がいし装置の交換を伴いながら、複数の鉄塔間に架設されている既設電線を新設電線に張替えるための工法であって、既設電線の本数に応じた張替用金車を鉄塔の腕金部に取付け、既設電線をがいし装置から取外し、隣設する鉄塔間の既設電線相互を接続すると共に、既設電線夫々を対応する張替用金車夫々に乗せ、混触防止装置を既設電線にセットし、既設のがいし装置を撤去し、混触防止装置を既設電線に沿って配置・展開し、下側の既設電線に新設電線を接続すると共に、下側の既設電線を巻取りながら新設電線を架設し、新設電線を仮上げすると共に、混触防止装置を反転し、反転によって下側に移動した既設電線に新設電線を接続すると共に、既設電線を巻取りながら新設電線を架設し、がいし装置を鉄塔の腕金部に取付け、混触防止装置を回収し、新設電線夫々の端部をがいし装置に固定すると共に、新設電線を緊張することで、同じく上述した課題を解決した。
【００１８】
さらに、移動金車を介してロープを配置し、このロープを利用して混触防止装置を既設電線に沿って配置・展開し、また、混触防止装置を回収することで、同じく上述した課題を解決した。
【００１９】
また、宙乗り機を用いて既設電線に取付けてある電線スペーサーを撤去し、また、新設電線に電線スペーサーを取付けることで、同じく上述した課題を解決した。
【００２０】
加えて、多導体の送電線にあって、任意の一条以上の既設電線を新設電線に張替えることで、同じく上述した課題を解決した。
【００２１】
一方、本発明に係る電線張替工法で使用される混触防止装置は、複数の鉄塔間に架設されている既設電線を新設電線に張替えるために使用される混触防止装置であって、上下左右に配される吊金車と、上部左右の吊金車を連結する接近防止部材と、左側上下の吊金車及び右側上下の吊金車を夫々連結する連結部材とで混触防止枠体を構成したことで、同じく上述した課題を解決した。
【００２２】
また、複数の接近防止枠体を、曳行ロープで連結して構成したことで、同じく上述した課題を解決した。
【００２３】
さらに、少なくとも二条の電線同士の衝突を防止することで、同じく上述した課題を解決した。
【発明の効果】
【００２４】
本発明に係る請求項１の混触防止式電線張替工法によれば、複数の鉄塔１間に架設されている既設電線Ａ（送電線）を新設電線Ｂに張替える際に、有風時であっても、新設電線Ｂ（或いは、既設電線Ａ）同士の衝突、混触等を確実に防止でき、新設電線Ｂの損傷防止や、騒音（例えば、衝突音等）の発生防止が図れるようになり、しかも、電線張替えの作業能率がより向上し、より安全性の優れた作業が可能となる。
【００２５】
その結果、風による影響を受け難くなり、風により工事が中断する事態の発生が激減し、工事の中断を原因とする送電停止期間の延長問題や工事費の増加問題等を解消できる。
【００２６】
また、風の影響を受けて工事が中断する事態の発生が激減するため、電線の張替え工事の工程を管理し易くなり、経済的な電線の張替え工法を実現できる。
【００２７】
さらに、がいし装置３を鉄塔１の腕金部２に取付けたままで電線の張替え作業が行えるため、既設のがいし装置３をそのまま利用でき、工事費の削減と作業時間の短縮が図れるものとなる。
【００２８】
また、本発明に係る請求項６の混触防止式電線張替工法によれば、複数の鉄塔１間に架設されている既設電線Ａ（送電線）を新設電線Ｂに張替える際に、有風時であっても、新設電線Ｂ（或いは、既設電線Ａ）同士の衝突、混触等を確実に防止でき、新設電線Ｂの損傷防止や、騒音（例えば、衝突音等）の発生防止が図れるようになり、しかも、電線張替えの作業能率がより向上し、より安全性の優れた作業が可能となる。
【００２９】
その結果、風による影響を受け難くなり、風により工事が中断する事態の発生が激減し、工事の中断を原因とする送電停止期間の延長問題や工事費の増加問題等を解消できる。また、風の影響を受けて工事が中断する事態の発生が激減するため、電線の張替え工事の工程を管理し易くなり、経済的な電線の張替え工法を実現できる。
【００３０】
さらに、がいし装置３を鉄塔１の腕金部２に取付けたままで電線の張替え作業が行えるため、既設のがいし装置３をそのまま利用でき、工事費の削減と作業時間の短縮が図れるものとなる。
【００３１】
加えて、この混触防止式電線張替工法によれば、がいし装置３の交換も非常に容易となる。そのため、がいし装置３の交換を伴なう電線の張替え工事を安全且つ短時間で行うことができる。
【００３２】
この他、本発明に係る電線張替工法で使用される混触防止装置によれば、複数の鉄塔１間に架設されている既設電線Ａ（送電線）を新設電線Ｂに張替える際に、有風時であっても、新設電線Ｂ（或いは、既設電線Ａ）同士の衝突、混触等を確実に防止できる。すなわち、本発明の電線張替工法に最適な混触防止装置１０を提供できる。
【００３３】
しかも、混触防止装置１０自身の構成が簡素で、耐久性に優れ、取扱い易く、量産に適しているため、経済的なものとなる。
【発明を実施するための最良の形態】
【００３４】
以下に、本発明を実施するための最良の形態を、図面を参照して説明する。
【００３５】
本発明は、例えば、複数の鉄塔１間に架設されると共に、上下左右に所定間隔を設けて配置されている四条の既設電線Ａ｛既設電線Ａ１（下側の外線）、既設電線Ａ２（下側の内線）、既設電線Ａ３（上側の外線）、既設電線Ａ４（上側の内線）｝を、新設電線Ｂ（新設電線Ｂ１，新設電線Ｂ２，新設電線Ｂ３，新設電線Ｂ４）に張替えるための工法である。
【００３６】
四条の既設電線Ａは、例えば、図３７に示すように、鉄塔１に近い位置に取付けられている既設電線Ａ２，Ａ４を内線と称し、鉄塔１から遠い位置に取付けられている既設電線Ａ１，Ａ３を外線と称する。
【００３７】
初めに、既設のがいし装置３をそのまま利用して既設電線Ａを張替える工法について説明する（図１乃至図１８参照）。
【００３８】
尚、張替えの工法を理解し易くするため、鉄塔１に対する四条の既設電線Ａ｛既設電線Ａ１（下側の外線）、既設電線Ａ２（下側の内線）、既設電線Ａ３（上側の外線）、既設電線Ａ４（上側の内線）｝の配置を、図３７に示す通りとし、これを基準に既設電線Ａの張替え工法を説明する。
【００３９】
先ず、図１に示すように、宙乗り機５を使用して、既設の電線スペーサー８を撤去しながら、移動金車６を既設電線Ａ４（上側の内線）に装着し、移動金車６同士をロープ７により連結して、ロープ７を既設電線Ａ４に沿って配置する。
【００４０】
このとき、四条の既設電線Ａ｛既設電線Ａ１（下側の外線）、既設電線Ａ２（下側の内線）、既設電線Ａ３（上側の外線）、既設電線Ａ４（上側の内線）｝は、その全体で図３９に示す配置例を維持している。
【００４１】
次に、図３８に示すように、二つの張替用金車９（１）・９（２）を四条の既設電線Ａの外側と内側に配されるように、鉄塔１の腕金部２に取付ける。
【００４２】
そして、図３に示すように、混触防止装置１０を鉄塔１上に上げて、混触防止装置１０を四条の既設電線Ａにセットする。すなわち、図４０に示すように、混触防止装置１０の四つの吊金車１１を四条の既設電線Ａに夫々セットする。この混触防止装置１０同士は、曳行ロープ１５により連結されている。
【００４３】
それから、図４に示すように、ロープ７の一端部を混触防止装置１０の曳行ロープ１５に取付けてから、ロープ７の他端部側を地上で巻取るようにして混触防止装置１０を既設電線Ａに沿って配置・展開させる。
【００４４】
さらに、図５に示すように、下側の既設電線Ａ（既設電線Ａ１、既設電線Ａ２）をがいし装置３から取外すと共に、隣設する鉄塔１間の下側の電線相互を、コネクター備えた連結ワイヤー２０により接続する。そして、図３８に示すように、既設電線Ａ１を張替用金車９（１）に乗せる。また、既設電線Ａ２を張替用金車９（２）に乗せる。
【００４５】
また、図６・図７に示すように、連結ワイヤー２０で接続された下側の既設電線Ａ（既設電線Ａ１，既設電線Ａ２）に、連結ワイヤー２０で予め接続された複数の新設電線Ｂ１，新設電線Ｂ２を、連結ワイヤー２０を介して接続すると共に、下側の既設電線Ａを地上の適宜巻取機によって巻取りながら、連結ワイヤー２０で接続された複数の新設電線Ｂ１，新設電線Ｂ２を、下側の既設電線Ａがあった位置に架設する。この連結ワイヤー２０と新設電線Ｂの接続状態は、図１６（イ）（ハ）に示す通りである。また、新設電線Ｂ１，新設電線Ｂ２を架設したとき、既設電線Ａ３，Ａ４、新設電線Ｂ１，Ｂ２の混触防止装置１０への配置は、図４１に示す通りとなる。
【００４６】
次に、図１７（イ）に示すように、前記新設電線Ｂ１，新設電線Ｂ２夫々の端部を固定ワイヤー２１を介して引留プレート４に仮固定し、図８に示すように、新設電線Ｂ１，新設電線Ｂ２を仮上げする。また、図１７（イ）（ロ）に示すように、既設電線Ａ３，Ａ４をがいし装置３から取外すと共に、隣設する鉄塔１間の既設電線Ａ３，Ａ４夫々を連結ワイヤー２０で接続する。そして、既設電線Ａ３を張替用金車９（１）に乗せ、既設電線Ａ４を張替用金車９（２）に乗せる。さらに、図１７（イ）（ロ）に示すように、引留プレート４に仮固定していた新設電線Ｂ１，新設電線Ｂ２夫々の端部をがいし装置３の上部取付け位置に固定し、図９に示すように、混触防止装置１０を反転させる。すなわち、図４２に示すように、新設電線Ｂ１，新設電線Ｂ２にある程度の張力を与えて、新設電線Ｂ１，新設電線Ｂ２を今までの位置より上方に位置させる仮上げを行う。さらに、既設電線Ａ３，既設電線Ａ４をがいし装置３から取外し、張替用金車９に乗せ替えて、その張力を弛め、既設電線Ａ３，既設電線Ａ４を今までの位置より下方に位置させ、加えて、新設電線Ｂ１，新設電線Ｂ２夫々の端部をがいし装置３の上部取付け位置に固定して、新設電線Ｂ１，新設電線Ｂ２をさらに上方に位置させることで、図４３に示すように、混触防止装置１０が反転状態となる。
【００４７】
その後、図１０・図１１に示すように、連結ワイヤー２０で接続された既設電線Ａ３，既設電線Ａ４に、連結ワイヤー２０で予め接続された複数の新設電線Ｂ３，新設電線Ｂ４を、連結ワイヤー２０を介して接続すると共に、既設電線Ａ３，既設電線Ａ４を、地上の巻取機によって適宜巻取りながら、連結ワイヤー２０で接続された複数の新設電線Ｂ３，新設電線Ｂ４を、下側の既設電線Ａがあった位置に架設し、この新設電線Ｂ３，新設電線Ｂ４夫々の端部をがいし装置３の下部取付け位置に固定する。
【００４８】
そして、図１２に示すように、混触防止装置１０を回収する。また、図１３に示すように、新設電線Ｂをワイヤー２２によって所定の張力に緊張する。その後、図１４に示すように、宙乗り機５によって新設電線Ｂに電線スペーサー８を取付ける。
【００４９】
それから、図１５に示すように、前述の作業を上段の既設電線Ａ、中段の既設電線Ａ、下段の既設電線Ａの順に繰返し行って作業が完了する。
【００５０】
これらの一連の工程を個別に記載すると、図１８に示す通りとなる。
【００５１】
次に、がいし装置３を交換して既設電線を張替える工法について説明する（図１９乃至図３５参照）。
【００５２】
尚、張替えの工法を理解し易くするため、鉄塔１に対する四条の既設電線Ａ｛既設電線Ａ１（下側の外線）、既設電線Ａ２（下側の内線）、既設電線Ａ３（上側の外線）、既設電線Ａ４（上側の内線）｝の配置を、図４４に示す通りとし、これを基準に既設電線Ａの張替え工法を説明する。
【００５３】
先ず、図１９に示すように、宙乗り機５を使用して、既設の電線スペーサー８を撤去しながら、所定の間隔で移動金車６を取り付けたロープ７を既設電線Ａ４（上側の内線）に装着することで、ロープ７を既設電線Ａ４に沿って配置する。
【００５４】
次に、図２０・図４５に示すように、四つの張替用金車９を四条の既設電線Ａの内側に配されるように、鉄塔１の腕金部２に取付ける。
【００５５】
そして、既設電線Ａをがいし装置３から取外し、隣設する鉄塔１間の既設電線Ａ相互を連結ワイヤー２０で接続すると共に、図４６に示すように、既設電線Ａ３を張替用金車９（１）に乗せる。また、既設電線Ａ４を張替用金車９（２）に乗せる。さらに、既設電線Ａ１を張替用金車９（３）に乗せる。また、既設電線Ａ２を張替用金車９（４）に乗せる。
【００５６】
このとき、四条の既設電線Ａは、図４６に示すように、鉄塔１の外側から内側にかけて、既設電線Ａ３，既設電線Ａ４，既設電線Ａ１，既設電線Ａ２というように、水平に並んだ状態となる。
【００５７】
この状態で、両端に位置する既設電線Ａ３，既設電線Ａ２の張力を弛めると、図４７に示すように、既設電線Ａ３と既設電線Ａ２が下方に移動し、経間中央部において、既設電線Ａ４と既設電線Ａ３、既設電線Ａ１と既設電線Ａ２が縦方向に並ぶものとなる。
【００５８】
それから、図２２に示すように、混触防止装置１０を鉄塔１上に上げて、混触防止装置１０を四条の既設電線Ａにセットする。すなわち、図４８に示すように、混触防止装置１０の四つの吊金車１１を四条の既設電線Ａに夫々セットする。この混触防止装置１０同士は、曳行ロープ１５により連結されている。
【００５９】
さらに、図２３に示すように、既設のがいし装置３を撤去する。そして、図２４に示すように、ロープ７の一端部を混触防止装置１０の曳行ロープ１５に取付けてから、ロープ７の他端部側を地上で巻取るようにして混触防止装置１０を既設電線Ａに沿って配置・展開させる。
【００６０】
また、図２５に示すように、連結ワイヤー２０で接続された既設電線Ａ３，既設電線Ａ２に、連結ワイヤー２０で予め接続された複数の新設電線Ｂ３，新設電線Ｂ２を、連結ワイヤー２０を介して接続すると共に、既設電線Ａ３，既設電線Ａ２を地上の巻取機によって適宜巻取りながら、連結ワイヤー２０で接続された複数の新設電線Ｂ３，新設電線Ｂ２を、既設電線Ａ３，既設電線Ａ２があった位置に架設する。また、新設電線Ｂ３，新設電線Ｂ２を架設したとき、既設電線Ａ４，既設電線Ａ１、新設電線Ｂ３，新設電線Ｂ２の混触防止装置１０への配置は、図４９に示す通りとなる。
【００６１】
次に、図２６・図５０に示すように、新設電線Ｂ３，新設電線Ｂ２を仮上げる。そして、図２７に示すように、既設電線Ａ４，既設電線Ａ１を緩め、混触防止装置１０を反転させる。
【００６２】
すなわち、図５０に示すように、新設電線Ｂ３，新設電線Ｂ２にある程度の張力を与えて、新設電線Ｂ３，新設電線Ｂ２を今までの位置より上方に位置させる仮上げを行う。さらに、既設電線Ａ４，既設電線Ａ１の張力を弛め、既設電線Ａ４，既設電線Ａ１を今までの位置より下方に位置させることで、図５１に示すように、混触防止装置１０が反転状態となる。
【００６３】
その後、図２８に示すように、反転によって下側に移動した既設電線Ａ４，既設電線Ａ１に、連結ワイヤー２０で予め接続された複数の新設電線Ｂ４，新設電線Ｂ１を接続すると共に、既設電線Ａ４，既設電線Ａ１を、地上の巻取機によって適宜巻取りながら、連結ワイヤー２０で接続された複数の新設電線Ｂ４，新設電線Ｂ１を、既設電線Ａ４，既設電線Ａ１があった位置に架設する。新設電線Ｂ４，新設電線Ｂ１を架設したとき、新設電線Ｂ３，新設電線Ｂ２、新設電線Ｂ４，新設電線Ｂ１の混触防止装置１０の配置は、図５２に示す通りとなる。
【００６４】
そして、図３０に示すように、がいし装置３をワイヤー等で吊上げ、鉄塔１の腕金部２に取付ける。その後、図３１に示すように、混触防止装置１０を回収する。また、図３２に示すように、新設電線Ｂ１，新設電線Ｂ２，新設電線Ｂ３，新設電線Ｂ４夫々の端部をがいし装置３に固定すると共に、新設電線Ｂをワイヤー２２を介して所定の張力に緊張する。さらに、図３３に示すように、宙乗り機５によって新設電線Ｂに電線スペーサー８を取付ける。
【００６５】
それから、図３４に示すように、前述の作業を上段の既設電線Ａ、中段の既設電線Ａ、下段の既設電線Ａの順に繰返し行って作業が完了する。
【００６６】
これらの一連の工程を個別に記載すると、図３５に示す通りとなる。
【００６７】
この他、前述の如き混触防止式送電線張替工法を実施するのに最適となる本発明の混触防止装置１０について説明する。
【００６８】
この混触防止装置１０は、例えば、図３６に示すように、上下左右に配される吊金車１１と、上部左右の吊金車１１を連結する接近防止部材１２と、左側上下の吊金車１１及び右側上下の吊金車１１を夫々連結する連結部材１３とで混触防止枠体１０Ａを構成し、複数の接近防止枠体１０Ａを曳行ロープ１５で適宜一定間隔に連結して構成したものである。具体的には、接近防止部材１２として、所定の長さを備えた棒状体を用いている。また、連結部材１３として、所定の長さを備えたロープを用いている。
【００６９】
前記吊金車１１は、例えば、略矩形枠状に形成される金属製（或いは、合成樹脂製、適宜複合材でも良い）の枠体と、この枠体の上下に回動自在に装着される一対の略鼓状の滑車とからなっている。尚、枠体は、その一部が開放閉鎖自在となるように構成されており、既設電線Ａへの装着が極めて簡単に行えるように構成されている。
【００７０】
前記接近防止部材１２は、例えば、上部左右の吊金車１１相互が一定間隔で配置された状態を維持できるように設けられたもので、適宜金属材（或いは、合成樹脂材、適宜複合材でも良い）によって略棒状に形成されると共に、その両端部分は、吊金車１１の枠体に３次元方向で揺動自在となるよう装着されている。
【００７１】
前記連結部材１３は、例えば、撓曲可能に構成されており、その中央部分には、ロープ止具１４が固着され、このロープ止具１４には、曳行ロープ１５が固定されている。
【００７２】
ところで、既設電線Ａの具体的数、配設状態、鉄塔１の具体的構成、腕金部２の具体的構成、がいし装置３の具体的構成、引留プレート４の具体的構成、宙乗り機５の具体的構成、移動金車６の具体的構成、数、ロープ７の具体的構成、電線スぺーサー８の具体的構成、数、張替用金車９の具体的構成、数、配設位置、混触防止装置１０の具体的構成、接近防止枠体１０Ａの具体的構成、数、吊金車１１の具体的構成、配設間隔、接近防止部材１２の具体的構成、形状、寸法、材質、吊金車１１への具体的装着手段、連結部材１３の具体的構成、形状、寸法、材質、ロープ止具１４の具体的構成、形状、寸法、材質、曳行ロープ１５の具体的構成、形状、材質、連結ワイヤー２０の具体的構成、形状、寸法、材質、固定ワイヤー２１の具体的構成、形状、寸法、材質、ワイヤー２２の具体的構成、形状、寸法、材質等は、図示例等に限定されることなく適宜自由に設定、変更できるものである。
【産業上の利用可能性】
【００７３】
本発明は、複数の鉄塔１間に架設されている既設電線Ａを新設電線Ｂに張替える工法等として、種々の工事に広く用いることができる。
【図面の簡単な説明】
【００７４】
【図１】本発明の電線張替工法を例示する概略図である。
【図２】本発明の電線張替工法を例示する概略図である。
【図３】本発明の電線張替工法を例示する概略図である。
【図４】本発明の電線張替工法を例示する概略図である。
【図５】本発明の電線張替工法を例示する概略図である。
【図６】本発明の電線張替工法を例示する概略図である。
【図７】本発明の電線張替工法を例示する概略図である。
【図８】本発明の電線張替工法を例示する概略図である。
【図９】本発明の電線張替工法を例示する概略図である。
【図１０】本発明の電線張替工法を例示する概略図である。
【図１１】本発明の電線張替工法を例示する概略図である。
【図１２】本発明の電線張替工法を例示する概略図である。
【図１３】本発明の電線張替工法を例示する概略図である。
【図１４】本発明の電線張替工法を例示する概略図である。
【図１５】本発明の電線張替工法を例示する概略図である。
【図１６】本発明の電線張替工法に於ける鉄塔の腕金部の具体的な構成を例示するもので、（イ）は平面図、（ロ）は正面図、（ハ）は側面図である。
【図１７】本発明の電線張替工法に於ける鉄塔の腕金部を例示するもので、（イ）は新設電線を引留プレートに仮固定した状態の平面図、（ロ）は新設電線をがいし装置に固定した状態の平面図である。
【図１８】本発明の電線張替工法を例示する概略ブロック図である。
【図１９】本発明の他の電線張替工法を例示する概略図である。
【図２０】本発明の他の電線張替工法を例示する概略図である。
【図２１】本発明の他の電線張替工法を例示する概略図である。
【図２２】本発明の他の電線張替工法を例示する概略図である。
【図２３】本発明の他の電線張替工法を例示する概略図である。
【図２４】本発明の他の電線張替工法を例示する概略図である。
【図２５】本発明の他の電線張替工法を例示する概略図である。
【図２６】本発明の他の電線張替工法を例示する概略図である。
【図２７】本発明の他の電線張替工法を例示する概略図である。
【図２８】本発明の他の電線張替工法を例示する概略図である。
【図２９】本発明の他の電線張替工法を例示する概略図である。
【図３０】本発明の他の電線張替工法を例示する概略図である。
【図３１】本発明の他の電線張替工法を例示する概略図である。
【図３２】本発明の他の電線張替工法を例示する概略図である。
【図３３】本発明の他の電線張替工法を例示する概略図である。
【図３４】本発明の他の電線張替工法を例示する概略図である。
【図３５】本発明の他の電線張替工法を例示する概略ブロック図である。
【図３６】本発明の電線張替工法に於ける混触防止装置を例示する部分斜視図である
【図３７】鉄塔の腕金部における四条の既設電線の配置を例示する概略図である。
【図３８】既設電線の張替用金車への乗せ替えを例示する概略図である。
【図３９】径間中央部における四条の既設電線の配置を例示する概略図である。
【図４０】既設電線に混触防止装置をセットしている状態を例示する概略図である。
【図４１】既設電線と新設電線に混触防止装置をセットしている状態を例示する概略図である。
【図４２】混触防止装置を反転させる状態を例示する概略図である。
【図４３】混触防止装置が反転した状態を例示する概略図である。
【図４４】鉄塔の腕金部における四条の既設電線の配置を例示する概略図である。
【図４５】既設電線の張替用金車への乗せ替えを例示する概略図である。
【図４６】既設電線を張替用金車へ乗せ替えた状態を例示する概略図である。
【図４７】径間中央部における四条の既設電線の配置を例示する概略図である。
【図４８】既設電線に混触防止装置をセットしている状態を例示する概略図である。
【図４９】既設電線と新設電線に混触防止装置をセットしている状態を例示する概略図である。
【図５０】混触防止装置を反転させる状態を例示する概略図である。
【図５１】混触防止装置が反転した状態を例示する概略図である。
【図５２】新設電線に混触防止装置をセットしている状態を例示する概略図である。
【符号の説明】
【００７５】
Ａ…既設電線
Ａ１…既設電線              Ａ２…既設電線
Ａ３…既設電線              Ａ４…既設電線
Ｂ…新設電線
Ｂ１…新設電線              Ｂ２…新設電線
Ｂ３…新設電線              Ｂ４…新設電線
１…鉄塔                    ２…腕金部
３…がいし装置              ４…引留プレート
５…宙乗り機                ６…移動金車
７…ロープ                  ８…電線スぺーサー
９…張替用金車
１０…混触防止装置        １０Ａ…接近防止枠体
１１…吊金車                １２…接近防止部材
１３…連結部材              １４…ロープ止具
１５…曳行ロープ
２０…連結ワイヤー          ２１…固定ワイヤー
２２…ワイヤー
【図１】
2006025536.tif 000003
【図２】
2006025536.tif 000004
【図３】
2006025536.tif 000005
【図４】
2006025536.tif 000006
【図５】
2006025536.tif 000007
【図６】
2006025536.tif 000008
【図７】
2006025536.tif 000009
【図８】
2006025536.tif 000010
【図９】
2006025536.tif 000011
【図１０】
2006025536.tif 000012
【図１１】
2006025536.tif 000013
【図１２】
2006025536.tif 000014
【図１３】
2006025536.tif 000015
【図１４】
2006025536.tif 000016
【図１５】
2006025536.tif 000017
【図１６】
2006025536.tif 000018
【図１７】
2006025536.tif 000019
【図１８】
2006025536.tif 000020
【図１９】
2006025536.tif 000021
【図２０】
2006025536.tif 000022
【図２１】
2006025536.tif 000023
【図２２】
2006025536.tif 000024
【図２３】
2006025536.tif 000025
【図２４】
2006025536.tif 000026
【図２５】
2006025536.tif 000027
【図２６】
2006025536.tif 000028
【図２７】
2006025536.tif 000029
【図２８】
2006025536.tif 000030
【図２９】
2006025536.tif 000031
【図３０】
2006025536.tif 000032
【図３１】
2006025536.tif 000033
【図３２】
2006025536.tif 000034
【図３３】
2006025536.tif 000035
【図３４】
2006025536.tif 000036
【図３５】
2006025536.tif 000037
【図３６】
2006025536.tif 000038
【図３７】
2006025536.tif 000039
【図３８】
2006025536.tif 000040
【図３９】
2006025536.tif 000041
【図４０】
2006025536.tif 000042
【図４１】
2006025536.tif 000043
【図４２】
2006025536.tif 000044
【図４３】
2006025536.tif 000045
【図４４】
2006025536.tif 000046
【図４５】
2006025536.tif 000047
【図４６】
2006025536.tif 000048
【図４７】
2006025536.tif 000049
【図４８】
2006025536.tif 000050
【図４９】
2006025536.tif 000051
【図５０】
2006025536.tif 000052
【図５１】
2006025536.tif 000053
【図５２】
2006025536.tif 000054